(57)【要約】      （修正有）【課題】画像表示機能全体を向上させる性能と共に、さまざまな画像及び表示状態を提供することができる透過型表示装置を提供する。【解決手段】透過型表示装置１０は第１アクティブ型ＬＣＤパネル１１０、第２アクティブ型ＬＣＤパネル１３０及び第１アクティブ型ＬＣＤパネルと第２アクティブ型ＬＣＤパネルとの間に挟まれたバックライトモジュール１５０を含む。第１アクティブ型ＬＣＤパネル及び第２アクティブ型ＬＣＤパネルの両方は、さまざまな画像を提供し、かつ異なる表示状態を表示す。従って、透過型表示装置は第２アクティブ型ＬＣＤパネルによって表示される画像又は表示状態を活用し、画像コントラスト及びさまざまな効果を向上させるという目的を達成するように第１アクティブ型ＬＣＤパネルの画像表示機能を促進する。【選択図】図１
2015230484.tif 000002
【特許請求の範囲】
【請求項１】
第１アクティブ型液晶表示（ＬＣＤ）パネルと、第２アクティブ型ＬＣＤパネルと、バックライトモジュールと、を含む透過型表示装置であって、
前記第１アクティブ型ＬＣＤパネルは第１表示面及び前記第１表示面と対向する裏面を有し、更に、
カラーフィルタ基板と、
前記カラーフィルタ基板に対向して配置された第１薄膜トランジスタ（ＴＦＴ）基板と、
前記カラーフィルタ基板と前記第１ＴＦＴ基板との間に配置された第１高分子分散型液晶（ＰＤＬＣ）層と、を含み、
前記第２アクティブ型ＬＣＤは前記第１アクティブ型ＬＣＤパネルの前記裏面に対面する第２表示面を有し、更に、
基板と、
前記基板に対向して配置された第２ＴＦＴ基板と、
前記基板と前記第２ＴＦＴ基板との間に配置された第２ＰＤＬＣ層と、を含み、
前記バックライトモジュールは前記第１アクティブ型ＬＣＤパネルと前記第２アクティブ型ＬＣＤパネルとの間に挟まれた、
透過型表示装置。
【請求項２】
前記第１アクティブ型ＬＣＤパネルは第１ブラックマトリックスパターンを更に含み、前記第２アクティブ型ＬＣＤパネルは第２ブラックマトリックスパターンを更に含み、前記第１ブラックマトリックスパターンは前記第２ブラックマトリックスパターンに重なる、請求項１に記載の透過型表示装置。
【請求項３】
前記第１ブラックマトリックスパターンは前記第１アクティブ型ＬＣＤパネル内に複数の第１画素領域を画定し、前記第２ブラックマトリックスパターンは前記第２アクティブ型ＬＣＤパネル内に複数の第２画素領域を画定し、前記第１アクティブ型ＬＣＤパネルの前記第１画素領域は、前記第１アクティブ型ＬＣＤパネル及び前記第２アクティブ型ＬＣＤパネルに対して垂直な投射方向において、前記第２アクティブ型ＬＣＤパネルの前記第２画素領域に少なくとも部分的に重なる、請求項２に記載の透過型表示装置。
【請求項４】
各前記第１画素領域は、投射方向において、各前記第２画素領域に完全に重なり、各前記第１画素領域及び各前記第２画素領域は同じ領域を有する、請求項３に記載の透過型表示装置。
【請求項５】
前記第１アクティブ型ＬＣＤパネル及び前記第２アクティブ型ＬＣＤパネルは同じ画素密度を有する、請求項１に記載の透過型表示装置。
【請求項６】
前記第１アクティブ型ＬＣＤパネルの画素密度は前記第２アクティブ型ＬＣＤパネルの画素密度と異なる、請求項１に記載の透過型表示装置。
【請求項７】
前記バックライトモジュールは少なくとも１つの光源及び透過型導光板を含み、前記光源は前記透過型導光板の側部に少なくとも配置される、請求項１に記載の透過型表示装置。
【請求項８】
透過型表示装置の表示方法であって、
請求項１に記載の透過型表示装置を提供する工程と、
前記第１アクティブ型ＬＣＤパネルを通してカラー画像を表示するか、あるいは透過状態を表示する工程と、
部分的なグレースケール画像又は完全なグレースケール画像を表示するか、あるいは前記第２アクティブ型ＬＣＤパネルを通して透過状態を表示する工程と、
を含む方法。
【請求項９】
前記カラー画像はダイナミック画像である、請求項８に記載の透過型表示装置の表示方法。
【請求項１０】
前記第１アクティブ型ＬＣＤパネル及び前記第２アクティブ型ＬＣＤパネルは両方とも、前記透過状態を表示し、これによって前記透過型表示装置は全透過状態を表示する、請求項８に記載の透過型表示装置の表示方法。
【請求項１１】
前記カラー画像のコントラストを向上させるため、前記第１アクティブ型ＬＣＤパネルは前記カラー画像を表示し、前記第２アクティブ型ＬＣＤパネルは前記完全なグレースケール画像を表示する、請求項８に記載の透過型表示装置の表示方法。
【請求項１２】
前記カラー画像の表示効果を向上させるため、前記第１アクティブ型ＬＣＤパネルは前記カラー画像を表示し、前記第２アクティブ型ＬＣＤパネルは部分的なグレースケール画像を表示する、請求項８に記載の透過型表示装置の表示方法。
【請求項１３】
前記部分的なグレースケール画像はダイナミック画像である、請求項１２に記載の透過型表示装置の表示方法。
【請求項１４】
前記第１アクティブ型ＬＣＤパネルは前記カラー画像を表示し、前記第２アクティブ型ＬＣＤパネルは前記透過状態を表示し、これによって、前記カラー画像及び前記透過状態の相乗効果をもたらす、請求項８に記載の透過型表示装置の表示方法。
【請求項１５】
遮蔽状態を提供するために、前記第１アクティブ型ＬＣＤパネルは前記透過状態を表示し、前記第２アクティブ型ＬＣＤパネルは前記完全なグレースケール画像を表示する、請求項８に記載の透過型表示装置の表示方法。
【請求項１６】
部分的な遮蔽状態を提供するために、前記第１アクティブ型ＬＣＤパネルは前記透過状態を表示し、前記第２アクティブ型ＬＣＤパネルは前記部分的なグレースケール画像を表示する、請求項８に記載の透過型表示装置の表示方法。
【請求項１７】
前記部分的なグレースケール画像はダイナミック画像である、請求項１６に記載の透過型表示装置の表示方法。
【発明の詳細な説明】
【技術分野】
【０００１】
本発明は透過型表示装置及びその表示方法に関する。特に、向上した画像表示効果及び表示方法を実現することができる透過型表示装置に関する。
【背景技術】
【０００２】
透過型表示装置とは、透過型表示機能及び画像表示機能を含む表示装置のことを言い、一般的に広告看板、テレビゲーム機及びショーケースに適用できる表示装置のことを言う。透過型表示装置に使用することができる多くの表示パネル技術があり、液晶表示（ＬＣＤ）パネルはそれらの中では成熟した技術の１つであり、その関連技術は産業で栄え続けている。
【０００３】
一般に、表示パネルによって表示される画像の可変性及び多様性を向上させるために、ＲＧＢカラーモデルのサブピクセルを含む画素電極は、ＲＧＢの組み合わせを調整することによって、カラー表示機能を実現するために使用され得る。しかし、透過型表示機能を維持するために、透過型表示装置は画素電極の配置によって限定され、これによって光透過率及び画像解像度は影響を受けやすい。更に、今日、透過型表示装置は通常、静止画を表示する受動型表示装置であり、そのため、そこから表示される画像はモノクロであり、可変性に欠け、その結果、画像の表示精度に影響が及ぶ。
【０００４】
このように、当技術分野において向上した透過型表示装置を提供し、上述の問題を克服する必要性がある。
【先行技術文献】
【特許文献】
【０００５】
【特許文献１】米国特許第７９６９４０５号明細書
【特許文献２】台湾実用新案第Ｍ３８６９２７号明細書
【特許文献３】台湾特許出願公開第２０１３４２３２６号明細書
【特許文献４】台湾特許出願公開第２０１３２８６３７号明細書
【発明の概要】
【０００６】
本発明の主要目的の１つは、透過型表示装置を提供することであり、これは、画像表示機能全体を向上させる性能と共に、さまざまな画像及び表示状態を提供することができる。
【０００７】
上記の目的を達成するために、本発明の好ましい実施形態は、第１アクティブ型液晶表示（ＬＣＤ）パネル及び第２アクティブ型ＬＣＤパネル及びバックライトモジュールを含み、バックライトモジュールは第１アクティブ型ＬＣＤパネルと第２アクティブ型ＬＣＤパネルとの間に挟まれた透過型表示装置を提供する。第１アクティブ型ＬＣＤパネルは、カラーフィルタ基板；カラーフィルタ基板に対向して配置された第１薄膜トランジスタ（ＴＦＴ）基板；及びカラーフィルタ基板と第１薄膜トランジスタ基板との間に配置された第１高分子分散型液晶（ＰＤＬＣ）層を含む。第２アクティブ型ＬＣＤパネルは、基板；基板に対向して配置された第２ＴＦＴ基板；及び基板と第２ＴＦＴ基板との間に配置された第２ＰＤＬＣ層を含む。
【０００８】
上記の目的を達成するために、本発明の好ましい実施形態は以下の工程を含む透過型表示装置の表示方法も提供する。第１に、上述の透過型表示装置が提供される。上述の透過型表示装置の第１アクティブ型ＬＣＤパネルは、カラー画像又は透過状態を示すために用いられる。また、上述の透過型表示装置の第２アクティブ型ＬＣＤパネルは、部分的なグレースケール画像、完全なグレースケール画像又は透過状態を示すために用いられる。
【０００９】
本発明を通して、本発明の透過型表示装置は第１表示パネル及び第２表示パネルの連携を主な特徴とする。第１アクティブ型ＬＣＤパネル及び第２アクティブ型ＬＣＤパネルは、それぞれ異なる画像又は異なる表示状態を示すことができ、第２アクティブ型ＬＣＤパネルによって示された画像又は表示状態は、第１アクティブ型ＬＣＤパネルによって示された画像を促進し、画像コントラスト及びさまざまな効果を向上するという目的を達成する。更に、第１アクティブ型ＬＣＤパネル及び第２アクティブ型ＬＣＤパネルによって示された画像は両方とも、ダイナミックカラー画像又はダイナミックグレースケール画像といったダイナミック画像でよいので、本発明の透過型表示装置で表示された画像は、より多様性を持つことができる。
【図面の簡単な説明】
【００１０】
【図１】本発明の好ましい一実施形態に従った、透過型表示装置を示す概略的な分解図である。
【図２】本発明の好ましい一実施形態に従った、透過型表示装置を示す概略的な側面図である。
【図３】本発明の好ましい一実施形態に従った、透過型表示装置を示す部分的な概略図である。
【図４】本発明の好ましい他の一実施形態に従った、他の透過型表示装置を示す部分的な概略図である。
【図５】本発明の一実施形態に従った、透過型表示装置の表示方法を示す図である。
【図６】本発明の一実施形態に従った、透過型表示装置の表示方法を示す図である。
【図７】本発明の一実施形態に従った、透過型表示装置の表示方法を示す図である。
【図８】本発明の一実施形態に従った、透過型表示装置の表示方法を示す図である。
【図９】本発明の一実施形態に従った、透過型表示装置の表示方法を示す図である。
【図１０】本発明の一実施形態に従った、透過型表示装置の表示方法を示す図である。
【発明を実施するための形態】
【００１１】
図１及び図２を参照すると、透過型表示装置１０は、第１表示パネル１１０、第２表示パネル１３０及び第１表示パネル１１０と第２表示パネル１３０との間に挟まれたバックライトモジュール１５０を含む。第１表示パネル１１０は表示面１１０ａ及び表示面１１０ａと対向する裏面１１０ｂを有し、第１表示パネル１１０は裏面１１０ｂを介し、バックライトモジュール１５０の第１側面１５０ａに接着し；第２表示パネル１３０も表示面１３０ａを有し、第２表示パネル１３０は表示面１３０ａを介し、バックライトモジュール１５０の第２側面１５０ｂに接着する。
【００１２】
第１表示パネル１１０及び第２表示パネル１３０は、透過型表示パネル又は光透過効果を有する他の表示パネルでよく、液晶表示（ＬＣＤ）パネルが好ましい。本実施形態において、アクティブ型液晶表示パネルは第１表示パネル１１０及び第２表示パネル１３０として例示されるが、本発明はこれに限らない。
【００１３】
第１表示パネル１１０は、第１基板１１２（上部基板と定義する）、第１基板１１２に対向して配置された第２基板１１４（下部基板と定義する）及び第１基板１１２と第２基板１１４との間に充填された第１誘電体層１１６を含む。第１基板１１２及び第２基板１１４は、シール材（図示しない）を介して互いに貼り合わされ、その間にある固定スペースを維持する。第１基板１１２は表示面１１０ａの側面に配置され、第１基板１１２の材料は、例えばガラス、プラスチック又は石英といった光透過材料を含むことができる。第２基板１１４の材料は、光透過材料及び／又は不透明材料を含むことができる。本実施形態において、第１基板１１２はカラーフィルタ基板を含み、第２基板１１４は薄膜トランジスタ（ＴＦＴ）基板を含むが、これに限らない。加えて、第１誘電体層１１６の材料は、高分子分散型液晶（ＰＤＬＣ）、コレステリック液晶（ＣＬＣ）又は他の適切な材料を含み、好ましくは、例えば４−ベンゼン液晶といった低駆動電圧及び高画像コントラストを有するＰＤＬＣを含む。一方で、第２表示パネル１３０の配置及び構成材料は、第１表示パネル１１０の配置及び構成材料と実質的に同じであり、第２表示パネル１３０は第３基板１３２（上部基板と定義する）、第３基板１３２に対向して配置された第４基板１３４（下部基板と定義する）及び第３基板１３２と第４基板１３４との間に充填された第２誘電体層１３６を含む。第３基板１３２及び第４基板１３４の材料は、第１基板１１２及び第２基板１１４の材料と実質的に同じであり、重複して説明しない。本実施形態において、第４基板１３４はＴＦＴ基板を含むことができるが、これに限らない。
【００１４】
また、バックライトモジュール１５０は透過型導光板１５１及び光源１５２を更に含むことができる。光源１５２は透過型導光板１５１の少なくとも１つの側部に配置される。透過型導光板１５１は、アクリル樹脂又はプラスチックといった透過型材料を含むことができ、光源１５２は、発光ダイオード（ＬＥＤ）又は低照度環境下あるいは夜間に十分な光をもたらす光源を提供することができる他の適切なコンポーネントを含むことができる。しかし、他の実施形態において、光源１５２は省略してもよい。
【００１５】
本実施形態において、第１表示パネル１１０及び第２表示パネル１３０は両方とも、アクティブ型の透過型ＬＣＤパネルであり、好ましくはアクティブ型ＰＤＬＣ表示パネルである。好ましくは、アクティブ型ＰＤＬＣ表示パネルは、４−ベンゼン液晶といった、低駆動電圧及び高画像コントラストを有するＰＤＬＣを含み、ＰＤＬＣはＰＤＬＣ構成物及び２０％から５０％の重合材料を含み、例えば、有機溶媒、ポリエーテルポリオールアクリル系モノマー、アクリル系樹脂モノマー、ポリメルカプタン及び光重合開始剤を含む。このように、本発明の透過型表示装置１０の駆動電圧は、約４ｅＶから６ｅＶ、好ましくは５ｅＶで維持され得る。好ましくは、第１表示パネル１１０及び第２表示パネル１３０は、それぞれ、カラー透過型表示パネル及びモノクロ透過型表示パネルでよく、例えば第１表示パネル１１０はカラー透過型表示パネルで、第２表示パネル１３０はモノクロ透過型表示パネルであり；あるいは、第１表示パネル１１０はモノクロ透過型表示パネルであり、第２表示パネル１３０はカラー透過型表示パネルであるが、これに限らない。他の実施形態において、第１表示パネル１１０及び第２表示パネル１３０は、同時に、両方ともカラー透過型表示パネルであるか、あるいは両方ともモノクロ透過型表示パネルでよい。第１表示パネル１１０の表示面１１０ａは、本発明の透過型表示装置１０の画像表示側として定義され、第１表示パネル１１０及び第２表示パネル１３０から示される画像又は表示状態は、両方とも画像表示側を通して観測することができる。このような配置で、例えばカラー画像、完全なグレースケール画像又は部分的なグレースケール画像といったさまざまな画像及び第２表示パネル１３０によって示された透過状態は、第１表示パネル１１０によって示された画像を促進するために用いることができ、画像コントラスト及びさまざまな効果を向上する目的を達成する。
【００１６】
図３は、本発明の好ましい一実施形態に従った、透過型表示装置を示す部分的な概略図であり、本発明の特徴を強調するために、各液晶表示パネルの部分的な画素領域のみが図示される。図３に示すように、第１表示パネル１１０は第１ブラックマトリックスパターン１１１を含み、第２表示パネル１３０はブラックマトリックスパターン１３１を含み、第１ブラックマトリックスパターン１１１及び第２ブラックマトリックスパターン１３１の材料はクロム、窒化クロム、ブラック樹脂又は遮光及び反射防止に適した他の材料を含むことができる。第１ブラックマトリックスパターン１１１は、第１基板１１２の表面に配置され、第２基板１１４に対面する。第２ブラックマトリックスパターン１３１は第３基板１３２の表面に配置され、第４基板１３４に対面する。好ましい一実施形態において、図３に示すように、第１ブラックマトリックスパターン１１１は第２ブラックマトリックスパターン１３１と完全に重なる。しかし、本発明はこれに限らない。
【００１７】
他の実施形態において、第１ブラックマトリックスパターン１１１は第１基板１１２に対面する第２基板１１４の表面に選択的に配置されてもよく、第２ブラックマトリックスパターン１３１は第３基板１３２に対面する第４基板１３４の表面にも選択的に配置されてもよく、あるいは他の適切な配置を取ることができる。また、第１表示パネル１１０は第１共通電極１１３、複数の第１画素電極１１９及び複数の第１ＴＦＴ１１５を更に含み；第２表示パネル１３０は第２共通電極１３３、複数の第２画素電極１３９及び複数の第２ＴＦＴ１３５を更に含む。第１画素電極１１９及び第２画素電極１３９は、それぞれ、第１基板１１２に対面する、第２基板１１４の表面上に、そして第３基板１３２に対面する、第４基板１３４の表面上に配置され得る。第１共通電極１１３及び第２共通電極１３３は、それぞれ、第１ブラックマトリックスパターン１１１及び第２ブラックマトリックスパターン１３１を覆うことができる。本実施形態において、第１表示パネル１１０は第１ブラックマトリックスパターン１１１を覆う複数のカラーフィルタパターン１１７を更に含む。各第１ＴＦＴ１１５は、対応する第１画素電極１１９に電気的に接続され、各第２ＴＦＴ１３５は、対応する第２画素電極１３９に電気的に接続され、各第１ＴＦＴ１１５及び各第２ＴＦＴ１３５は、それぞれ、アレイ配置（マトリックス配置としても知られる）で配置され、各第１画素電極１１９及び各第２画素電極１３９を駆動させる。従って、第１表示パネル１１０及び第２表示パネル１３０は、アクティブ駆動され、ダイナミックな画像を表示することができる。
【００１８】
第１ブラックマトリックスパターン１１１は第１表示パネル１１０における複数の第１画素領域ＰＸ１を画定し；第２ブラックマトリックスパターン１３１は第２表示パネル１３０内における複数の第２画素領域ＰＸ２を画定し、各第１画素領域ＰＸ１は、第１表示パネルであるアクティブ型液晶表示パネル１１０及び第２表示パネルである第２アクティブ型液晶表示パネル１３０に対して垂直である投射方向において、各第２画素領域ＰＸ２と少なくとも部分的に重なり合う。これは重要なことであるが、本実施形態において、図３に示すように、各第１画素領域ＰＸ１は、投射方向（本実施形態ではＹ方向と呼ぶ）において各第２画素領域ＰＸ２と完全に重なり合う。また、各第１画素領域ＰＸ１及び各第２画素領域ＰＸ２は同一の領域を有する。つまり、第１表示パネル１１０及び第２表示パネル１３０は、同じ画素密度を有するが、本発明はこれに限らない。
【００１９】
本発明の透過型表示パネルは、上述の実施形態に限定されない。以下の説明では、本発明に従った透過型表示パネルの他の実施形態について詳しく述べる。説明を簡潔にするため、以下の説明ではそれらの実施形態における相違点を詳細に述べ、同一の特徴については重複して説明しない。実施形態内の相違を簡単に比較するため、下記の実施形態のそれぞれにおける同一のコンポーネントは、同一の符号で示される。
【００２０】
図４は、本発明の好ましい一実施形態に従った他の透過型表示装置を示す部分的な概略図である。上述の実施形態との比較において、本実施形態の第１表示パネル１１０及び第２表示パネル１３０は、異なる画素密度を有し、例えば、各第２画素領域ＰＸ２は、図４に示されるように、投射方向（本実施形態ではＹ方向と呼ぶ）において、３つの第１画素領域ＰＸ１といった、多数の第１画素領域ＰＸ１と重なる。しかし、本発明はこれに限らず、他の実施形態では、第１画素領域ＰＸ１（図面で図示しない）のうちの１つと同時に重なる２つ以上の第２画素領域ＰＸ２でもよい。
【００２１】
また、第１ブラックマトリックスパターン１１１、第２ブラックマトリックスパターン１３１、カラーフィルタパターン１１７、第１ＴＦＴ１１５及び第２ＴＦＴ１３５の配置及び材料特性は、上述の実施形態で完全に説明され、重複して説明しない。
【００２２】
透過型表示装置は主に第１表示パネル１１０及び第２表示パネル１３０は互いに連携し合っていることを主要な特徴とする。第１表示パネル１１０及び第２表示パネル１３０は両方ともアクティブ型ＬＣＤパネルであるので、両方とも、例えばカラー画像、完全なグレースケール画像又は部分的なグレースケール画像といったさまざまな画像やさまざまな表示状態を示すことができる。従って、第１表示パネル１１０及び第２表示パネル１３０によって表示された画像は、本発明の透過型表示装置１０の画像表示側を通して同時に観測されることができ、第２表示パネル１３０によって示されたさまざまな画像は、第１表示パネル１１０によって示された画像を促進し、画像コントラスト及びさまざまな効果を向上するという目的を達成する。
【００２３】
さらに、第１表示パネル１１０及び第２表示パネル１３０は両方とも、低駆動電圧及び高画像精度を有するＰＤＬＣを含み、これにより、ＰＤＬＣ構成物及び２０％から５０％の重合材料を含むＰＤＬＣでＰＤＬＣの構成比を調整することを通して、第１表示パネル１１０及び第２表示パネル１３０の駆動電圧を５ｅＶに下げることができる。上述の重合材料は有機溶媒、ポリエーテルポリオールアクリル系モノマー、アクリル系樹脂モノマー、ポリメルカプタン及び光重合開始剤を含むことができる。
【００２４】
以下の説明では、本発明に従った透過型表示装置の表示方法を詳細に述べる。図５から図１０を参照すると、図５から図１０は、本発明の一実施形態に従った透過型表示装置の表示方法を示した図である。ただし、図形は図示するためだけのものであって、部分的なコンポーネントの大きさ及び配置は、異なる設計考慮に従って変更されてきたが、本発明はそれに限らない。更に、カラー画像Ａ、完全なグレースケール画像Ｂ’、部分的なグレースケール画像Ｂ及び背景画像Ｃを参照するとき、当技術分野において、これらの画像は透過型表示パネルの表示面によって示される全体的な画像効果を説明することがよく知られており、これは図面に示されたパターンに限定されない。
【００２５】
本実施形態において、第１表示パネル１１０及び第２表示パネル１３０の両方はアクティブ型液晶表示パネルであり、第１表示パネル１１０はカラー透過型液晶表示パネルでよく、好ましくはカラーＰＤＬＣ表示パネルがよく；第２表示パネル１３０はモノクロ透過型表示パネルでよく、好ましくはモノクロＰＤＬＣ表示パネルがよいが、これに限定されない。
【００２６】
図５に図示されるように、本実施形態に従った透過型表示装置１０の第１表示パネル１１０は、カラー画像Ａを提供し、その一方で、第２表示パネル１３０は部分的なグレースケール画像Ｂを提供する。カラー画像Ａ及び部分的なグレースケール画像Ｂは両方とも、ダイナミック画像でよい。このような性能で、部分的なグレースケール画像Ｂは、透過型表示装置１０の裏面（表示面に対向する表面）において背景画像Ｃの一部しか遮蔽せず、カラー画像Ａの画像表示効果を促進させる。このように、本実施形態の透過型表示装置１０は、パターン、表現（ｗｏｒｄｉｎｇｓ）、グレースケール及びカラーを組み合わせた合成画像を示すことができる。従って、本実施形態の透過型表示装置１０は、特定のかつ多様な画像表示効果を実現することができ、広告看板又はテレビゲーム機に適用することができる。
【００２７】
図６に図示されるように、本実施形態に従った透過型表示装置１０の第１表示パネル１１０は、カラー画像Ａを提供し、その一方で、第２表示パネル１３０は完全なグレースケール画像Ｂ’を提供する。カラー画像Ａ及び完全なグレースケール画像Ｂ’の両方は、ダイナミック画像でよい。このような性能で、完全なグレースケール画像Ｂ’は透過型表示装置１０の裏面（表示面と対向する表面）において、背景画像Ｃを完全に遮蔽することができる。このように、第２表示パネル１３０によって背景画像Ｃを完全に遮蔽することを通して、背景画像Ｃがカラー画像Ａの表示と干渉することを十分に防ぐことができ、カラー画像Ａのコントラストを上げることができる。従って、本実施形態の透過型表示装置１０は、より鮮明で高コントラストである画像を実行することができる。
【００２８】
図７に図示されるように、本実施形態に従った透過型表示装置１０の第１表示パネル１１０は、カラー画像Ａを提供し、その一方で、第２表示パネル１３０は透過状態Ｄを表示する。カラー画像Ａはダイナミック画像でよい。このような性能で、背景画像Ｃは透過型表示装置１０の表示面を通して直接観測され得る。このように、第１表示パネル１１０によって示されるカラー画像Ａを通して、背景画像Ｃの表示を促進させることは十分であり、カラー画像及び透過状態の相乗効果を実現することができる。従って、本実施形態の透過型表示装置１０は広告看板又はテレビゲーム機に適用することができる。
【００２９】
図８に図示されるように、本実施形態に従った透過型表示装置１０の第１表示パネル１１０は透過状態Ｄを示し、その一方で、第２表示パネル１３０は、部分的なグレースケール画像Ｂを提供する。部分的なグレースケール画像Ｂはダイナミック画像でよい。このような性能で、部分的なグレースケール画像Ｂは背景画像Ｃを部分的にのみ遮蔽し、背景画像Ｃは透過型表示装置１０の表示面を通して部分的に観測され得る。このように、第２表示パネル１３０によって示される部分的なグレースケール画像Ｂを通して、背景画像Ｃの表示を促進させることは十分である。従って、本実施形態の透過型表示装置１０は、部分的な遮蔽状態を行うことができ、ショーケースに適用することができる。
【００３０】
図９に図示されるように、本実施形態に従った透過型表示装置１０の第１表示パネル１１０は、透過状態Ｄを示し、その一方で、第２表示パネル１３０は完全なグレースケール画像Ｂ’を提供する。このような配置で、完全なグレースケール画像Ｂ’は背景画像Ｃを完全に遮蔽することができる。このように、第２表示パネル１３０によって示される完全なグレースケール画像Ｂ’を用いることによって、背景画像Ｃを完全に遮蔽することを通して本実施形態の透過型表示装置１０は遮蔽状態を行うことができる。
【００３１】
図１０に図示されるように、本実施形態に従った透過型表示装置１０の第１表示パネル１１０は、透過状態Ｄを示し、その一方で、第２表示パネル１３０も透過状態Ｄを示す。このような配置で、背景画像Ｃは透過型表示装置１０の表示面を通して直接観測され得る。従って、本実施形態の透過型表示装置１０は、その裏面において背景画像Ｃを直接表示でき、本実施形態の透過型表示装置１０は、ショーケースとして使用されるように全透過状態を行うことができる。
【００３２】
総括すると、本発明の透過型表示装置は、第１アクティブ型ＬＣＤ表示パネル及び第２アクティブ型ＬＣＤ表示パネルの連携を主な特徴とする。第１アクティブ型ＬＣＤパネル及び第２アクティブ型ＬＣＤパネルは、それぞれ、カラー画像、完全なグレースケール画像又は部分的なグレースケール画像といった異なる画像、あるいは透過状態といった異なる表示状態を示すことができ、第２アクティブ型ＬＣＤパネルによって示された画像又は表示状態は、第１アクティブ型ＬＣＤパネルによって示された画像を促進し、画像コントラスト及びさまざまな効果を向上する目的を達成する。更に、第１アクティブ型ＬＣＤパネル及び第２アクティブ型ＬＣＤパネルによって示された画像は両方とも、ダイナミックカラー画像又はダイナミックグレースケール画像といったダイナミック画像でよいので、本発明の透過型表示装置で表示された画像は、より多様性を持つことができる。
【００３３】
当業者は、本発明の教示を保持する過程で、装置及び方法の多くの変更及び変形を行うことができるということに容易に気づくだろう。従って、上記の開示は、添付された請求項の境界及び範囲（ｍｅｔｅｓ  ａｎｄ  ｂｏｕｎｄｓ）にのみ限定されるものとして理解されるべきである。
【図１】
2015230484.tif 000003
【図２】
2015230484.tif 000004
【図３】
2015230484.tif 000005
【図４】
2015230484.tif 000006
【図５】
2015230484.tif 000007
【図６】
2015230484.tif 000008
【図７】
2015230484.tif 000009
【図８】
2015230484.tif 000010
【図９】
2015230484.tif 000011
【図１０】
2015230484.tif 000012